(57)【要約】      （修正有）【課題】つる側又はコネクタ側の薄い突片が根元から破損するという事故を発生しにくくする。【解決手段】つる４と、コネクタ６と、ねじを備えた眼鏡フレームのヒンジ部である。つるは、突片４１を有する。コネクタは、溝６２形成用の両側部６３からなる受け部６１を有する。前記つるの突片４１に、張り出し部４３を設けて補強している。この張り出し部４３はつる４の下面および／または上面から外方へ突出するものである。【選択図】図３
2011185982.tif 000002
【特許請求の範囲】
【請求項１】
突片（４１，４１Ａ）を有するつる（４，４Ａ）と、
溝（６２，６２Ａ）形成用の両側部（６３，６３Ａ）からなる受け部（６１，６１Ａ）を有するコネクタ（６，６Ａ）と、
前記突片（４１，４１Ａ）と前記受け部（６１，６１Ａ）を回動自在に連結するねじ（２）
を備えた眼鏡のヒンジ部において、
前記つるの突片（４１，４１Ａ）に張り出し部（４３，４７）を設けたことを特徴とする眼鏡のヒンジ部。
【請求項２】
前記張り出し部（４３）が前記つる（４，４Ａ）の下面（４５，４５Ａ）から突出するものである請求項１記載の眼鏡のヒンジ部。
【請求項３】
前記張り出し部（４７）が前記つる（４Ａ）の上面（４６Ａ）から突出するものである請求項１記載の眼鏡のヒンジ部。
【請求項４】
突片（６５）を有するコネクタ（６Ｂ，６Ｃ）と、
溝（５０，５０Ｃ）形成用の両側部（５１，５１Ｃ）からなる受け部（４８，４８Ｃ）を有するつる（４Ｂ，４Ｃ）と、
前記突片（６５）と前記受け部（４８，４８Ｃ）を回動自在に連結するねじ（２）
を備えた眼鏡のヒンジ部において、
前記両側部（５１，５１Ｃ）に張り出し部（４３Ｂ，４９，５２，５３）を設けたことを特徴とする眼鏡のヒンジ部。
【請求項５】
前記張り出し部（４３Ｂ，４９）が前記つるの下面（４５Ｂ）から突出するものである請求項４記載の眼鏡のヒンジ部。
【請求項６】
前記張り出し部（５２，５３）が前記つるの上面（４６Ｃ）から突出するものである請求項４記載眼鏡のヒンジ部。
【発明の詳細な説明】
【技術分野】
【０００１】
本発明は、眼鏡フレームのヒンジ部に関する。
【背景技術】
【０００２】
従来の眼鏡フレームのヒンジ部は、図１９に示すようなもので、眼鏡のつる４とコネクタ６がねじ２により、回動自在に結合されている。つる側の薄い突片４１をコネクタ側の両側部６３でサンドイッチ式に挟み込み、ねじ２で固定するものである。ヒンジの開閉動作をスムーズにするため、ヒンジにワッシャーを取り付けたものも知られている（たとえば、実用新案登録第３０９８７４６号）。
【発明の概要】
【発明が解決しようとする課題】
【０００３】
このような眼鏡にある衝撃が加わると、あるいは衝撃がなくても長期間使用することにより、つる側の薄い突片４１が根元から破損するという事故が発生している。
【０００４】
本発明は、このような事故を発生しにくくすることを目的とする。
【課題を解決するための手段】
【０００５】
請求項１の本発明は、突片４１，４１Ａを有するつる４，４Ａと、溝６２，６２Ａ形成用の両側部６３，６３Ａからなる受け部６１，６１Ａを有するコネクタ６，６Ａと、前記突片４１，４１Ａと前記受け部６１，６１Ａを回動自在に連結するねじ２を備えたヒンジ部において、前記つるの突片４１，４１Ａに張り出し部４３，４７を設けたことを特徴とする。
【０００６】
請求項２の本発明は、請求項１の本発明において、前記張り出し部４３が前記つる４，４Ａの下面４５，４５Ａから突出するものである。
【０００７】
請求項３の本発明は、請求項１の本発明において、前記張り出し部４７が前記つる４Ａの上面４６Ａから突出するものである。
【０００８】
請求項４の本発明は、突片６５を有するコネクタ６Ｂ，６Ｃと、溝５０，５０Ｃ形成用の両側部５１，５１Ｃからなる受け部４８，４８Ｃを有するつる４Ｂ，４Ｃと、前記突片６５と前記受け部４８，４８Ｃを回動自在に連結するねじ２を備えたヒンジ部において、前記両側部５１，５１Ｃに張り出し部４３Ｂ，４９，５２，５３を設けたことを特徴とする。
【０００９】
請求項５の本発明は、請求項４の本発明において、前記張り出し部４３Ｂ，４９が前記つるの下面４５Ｂから突出するものである。
【００１０】
請求項６の本発明は、請求項４の本発明において、前記張り出し部５２，５３が前記つるの上面４６Ｃから突出するものである。
【００１１】
上記発明において、張り出し部の形状は丸みを帯びた円弧状のものであることが好ましいが、特に限定はない。張り出し部の面積についても、美観上の制約に拘束されるのを除き、特に限定はない。
【発明の効果】
【００１２】
本発明の請求項１によれば、つるの突片が張り出し部により補強されるので、薄い突片４１が根元から破損するという事故が起こりにくくなる。
【００１３】
本発明の請求項４によれば、つるの両側部５１，５１Ｃが張り出し部により補強されるので、薄い突片４１が根元から破損するという事故が起こりにくくなる。
【００１４】
張り出し部はつるの下側（請求項２，５）だけに設けてもよいが、つるの上下（請求項３，６）に設けることにより、さらに補強される。
【図面の簡単な説明】
【００１５】
【図１】本発明を適用するサングラスの正面図である。
【図２】本発明の第１実施例のヒンジ部を有するサングラスの平面図である。
【図３】本発明の第１実施例のヒンジ部の拡大斜視図であり、（ａ）は結合後、（ｂ）は結合前を示す。
【図４】本発明の第１実施例のヒンジ部の（ａ）底面図、（ｂ）側面図、（ｃ）平面図である。
【図５】図４の５−５断面図である。
【図６】図４の６−６断面図である。
【図７】本発明の第２実施例のヒンジ部の拡大斜視図であり、（ａ）は結合後、（ｂ）は結合前を示す。
【図８】本発明の第２実施例のヒンジ部の（ａ）底面図、（ｂ）側面図、（ｃ）平面図である。
【図９】図８の９−９断面図である。
【図１０】図８の１０−１０断面図である。
【図１１】本発明の第３実施例のヒンジ部の拡大斜視図であり、（ａ）は結合後、（ｂ）は結合前を示す。
【図１２】本発明の第３実施例のヒンジ部の（ａ）底面図、（ｂ）側面図、（ｃ）平面図である。
【図１３】図１２の１３−１３断面図である。
【図１４】図１２の１４−１４断面図である。
【図１５】本発明の第４実施例のヒンジ部の拡大斜視図であり、（ａ）は結合後、（ｂ）は結合前を示す。
【図１６】本発明の第４実施例のヒンジ部の（ａ）底面図、（ｂ）側面図、（ｃ）平面図である。
【図１７】図１６の１７−１７断面図である。
【図１８】図１６の１８−１８断面図である。
【図１９】従来例のヒンジ部を示す（ａ）側面図、（ｂ）断面図である。
【発明を実施するための形態】
【００１６】
以下、サングラスを例にとって、添付の図面に基づき、本発明の実施例を説明する。
【実施例１】
【００１７】
図１及び２に示すように、このサングラスは、従来のサングラス同様に、左右のレンズ１と、左右のレンズを接続するブリッジ３と、左右のつる４と、つるとレンズを接続するコネクタ６を有する。
【００１８】
レンズ１とブリッジ３、及び、レンズ１とコネクタ６は、差し込みにより、固定される。
【００１９】
図３〜図６は、本発明の第１実施例を拡大して示している。図３（ｂ）に示すように、つる４側の先端には薄い突片４１が形成され、コネクタ６側では、断面コの字型の受け部６１が形成されている。
【００２０】
突片４１は、外方の直線的な部分４２と内方の楕円状円弧部分からなり、後者は、つる下面から内方へ大きく張り出した張り出し部４３を形成している。突片４１の中にねじ挿入用の孔４４が設けられている。
【００２１】
コネクタ６側の受け部６１は、長手方向中央部が深くえぐられて溝６２が形成されている。溝の両側部６３には、ねじ挿入用の孔６４が設けられている。
【００２２】
突片４１と受け部６１は、図３（ａ）のように、突片４１を受け部６１に挿入することにより、結合される。結合状態を図４及び図５に示す。従来技術と異なるのは、図４（ａ）（ｂ）及び図５に見られるように、張り出し部４３がつるの下面４５から飛び出していることである。
【００２３】
この張り出し部４３があることにより、突片４１が補強されることになり、衝撃が加わっても突片４１の根元で突片が破損するという事故を減らすことができる。
【実施例２】
【００２４】
図７〜図１０は、本発明の第２実施例を拡大して示している。図３（ｂ）に示すように、つる４Ａ側の先端には薄い突片４１Ａが形成され、コネクタ６Ａ側では、断面コの字型の受け部６１Ａが形成されている。
【００２５】
突片４１Ａは、外方及び内方に楕円状円弧部分を有する。この楕円状円弧部分は、つる上面４６Ａ及び下面４５Ａから外方及び内方へ大きく張り出した張り出し部４３Ａ，４７を形成している。突片４１Ａの中にはねじ挿入用の孔４４Ａが設けられている。
【００２６】
コネクタ６Ａ側の受け部６１Ａは、長手方向中央部が深くえぐられて溝６２Ａが形成されている。溝６２Ａの両側部６３Ａには、ねじ挿入用の孔６４Ａが設けられている。第１実施例では、溝６２は、つる上面４６には現れていなかった（図４（ｃ）参照）が、この第２実施例では、つる上面４６Ａにも溝６２Ａは形成されている。
【００２７】
突片４１Ａと受け部６１Ａは、図７（ａ）のように、突片４１Ａを受け部６１Ａに挿入することにより、結合される。結合状態を図８及び図９に示す。従来技術と異なるのは、張り出し部がつるの上面及び下面から飛び出していることである。
【００２８】
これらの張り出し部４３Ａ，４７があることにより、突片が補強されることになり、衝撃が加わっても突片の根元で突片が破損するという事故を減らすことができる。張り出し部の容積は、第１実施例の約２倍であるので、突片の強度もそれだけ強化されている。
【実施例３】
【００２９】
図１１〜図１３は、本発明の第３実施例を拡大して示している。この第３実施例は、つる４Ｂとコネクタ６Ｂにおける突片と受け部の関係を第１実施例から逆転させたものである。すなわち、図１１（ｂ）に示すように、つる４Ｂ側で断面コの字型の受け部４８が形成され、コネクタ６Ｂ側の先端には薄い突片６５が形成されている。
【００３０】
つる４Ｂ側の受け部４８は、長手方向中央部が深くえぐられて溝５０が形成されている。溝５０の両側部５１には、ねじ挿入用の孔４４Ｂが設けられている。両側部５１は、内方に楕円状円弧部分を有する。この楕円状円弧部分は、つる下面４５Ｂから内方へ大きく張り出した張り出し部４３Ｂ，４９を有する。
【００３１】
コネクタ６Ｂ側の突片６５は、コネクタ６Ｂの両側部を除去することにより、形成されている。突片６５の中には、ねじ挿入用の孔６４Ｂが設けられている。
【００３２】
突片６５と受け部４８は、図１１（ａ）のように、突片６５を受け部４８に挿入することにより、結合される。結合状態を図１２及び図１３に示す。従来技術と異なるのは、張り出し部４３Ｂ，４９がつるの下面４５Ｂから２カ所にわたって飛び出していることである。
【００３３】
この張り出し部４３Ｂ，４９があることにより、つるの両側部が補強されることになり、衝撃が加わっても両側部５１の根元で突片が破損するという事故を減らすことができる。
【実施例４】
【００３４】
図１５〜図１８は、本発明の第４実施例を拡大して示している。この第４実施例は、つる４Ｃとコネクタ６Ｃにおける突片と受け部の関係を第２実施例から逆転させたものである。すなわち、図１５（ｂ）に示すように、つる４Ｂ側で断面コの字型の受け部４８Ｃが形成され、コネクタ６Ｃ側の先端には薄い突片６５Ｃが形成されている。
【００３５】
つる側の受け４８Ｃ部は、長手方向中央部が深くえぐられて溝５０Ｃが形成されている。溝５０Ｃの両側部５１Ｃには、ねじ挿入用の孔４４Ｃが設けられている。両側部５１Ｃは、外方及び内方に楕円状円弧部分を有する。この楕円状円弧部分は、つる上面４６Ｃ及び下面４５Ｃから内方及び外方へ大きく張り出した張り出し部４３Ｃ，４９Ｃ；５２，５３を形成している。
【００３６】
コネクタ側の突片６５Ｃは、コネクタの両側部を除去することにより、形成されている。突片６５Ｃの中には、ねじ挿入用の孔６４Ｃが設けられている。
【００３７】
突片６５Ｃと受け部４８Ｃは、図１５（ａ）のように、突片６５Ｃを受け部４８Ｃに挿入することにより、結合される。結合状態を図１６及び図１７に示す。従来技術と異なるのは、張り出し部４３Ｃ，４９Ｃ；５２，５３がつるの上面及び下面から２カ所にわたって飛び出していることである。
【００３８】
この張り出し部４３Ｃ，４９Ｃ；５２，５３があることにより、両側部５１Ｃが補強されることになり、衝撃が加わっても突片の根元で突片が破損するという事故を減らすことができる。張り出し部の容積は、第１実施例の約４倍であるので、突片の強度もそれだけ強化されている。
［その他の実施例］
【００３９】
その他、図示しないが、たとえば、次のような変形も可能である。
（１）実施例１において、コネクタ６の受け部６１の両側部６３にも張り出し部を設けること。
（２）実施例１において、つる４の張り出し部をつるの上面４６側のみに設けること。
（３）実施例２において、コネクタ６Ａの受け部６１Ａの両側部６３Ａにも張り出し部を設けること。
（４）実施例３において、コネクタ６Ｂの突片６５にも張り出し部を設けること。
（５）実施例４において、コネクタ６Ｃ突片６５Ｃにも張り出し部を設けること。
【先行技術文献】
【特許文献】
【００４０】
【特許文献１】実用新案登録第３０９８７４６号
【符号の説明】
【００４１】
１     レンズ
２     ねじ
３     ブリッジ
４     つる
４１，４１Ａ  突片
４３，４３Ａ，４７，４９，５２，５３      張り出し部
４４，４４Ａ，４４Ｂ，４４Ｃ       孔
６，６Ａ，６Ｂ，６Ｃ コネクタ
４５，４５Ａ，４５Ｂ，４５Ｃ       つる下面
４６，４６Ａ，４６Ｂ，４６Ｃ       つる上面
４８，４８Ｃ  受け部
５０，５０Ｃ  溝
５１，５１Ｃ  両側部
６１，６１Ａ  受け部
６２，６２Ａ  溝
６３   両側部
６３，６３Ａ  両側部
６４，６４Ａ  孔
６５，６５Ｃ  突片
【図１】
2011185982.tif 000003
【図２】
2011185982.tif 000004
【図３】
2011185982.tif 000005
【図４】
2011185982.tif 000006
【図５】
2011185982.tif 000007
【図６】
2011185982.tif 000008
【図７】
2011185982.tif 000009
【図８】
2011185982.tif 000010
【図９】
2011185982.tif 000011
【図１０】
2011185982.tif 000012
【図１１】
2011185982.tif 000013
【図１２】
2011185982.tif 000014
【図１３】
2011185982.tif 000015
【図１４】
2011185982.tif 000016
【図１５】
2011185982.tif 000017
【図１６】
2011185982.tif 000018
【図１７】
2011185982.tif 000019
【図１８】
2011185982.tif 000020
【図１９】
2011185982.tif 000021